Podtech/llm-jp-corpus-v4-ja_patent huggingface dataset:
(57)【要約】      【課題】  イカ掛け用ヤエンを海中に滑降させて、イカに衝撃を与えることなくイカ掛け針側が振り上がり、イカが確実に掛かることを可能にする。      【解決手段】  イカ掛け部と釣り糸装着部と伝達部で構成し、伝達部のパイプ４０に支持棒２０を挿入し、主棒軸受け１３と支持棒軸受け２５とを軸３０で結合したもので、イカ９４が餌魚９３に食い付くと、釣り糸９０に各ラセンを装着し、主棒１０の後部を主棒支持輪４４で支えて投入し、伝達オモリ４１により伝達部が後退することなく滑降し、釣り糸９０に取り付けた玉９１が伝達ラセン４３を後方に押されて伝達部を後方へ移動させ、主棒１０の後部を支えていた主棒支持輪４４が外れて、軸３０を支点として主棒オモリ１２側が下がり、イカ掛け針１１側が振り上がることで、イカ９４が確実に掛かるようにしたイカ掛け針が振り上がるイカ掛け用ヤエン。      【選択図】  図２
2005261429.tif 000002
【特許請求の範囲】
【請求項１】
主棒にイカ掛け針と主棒軸受けと主棒オモリを取り付けたイカ掛け部と、支持棒に前ラセンを備えた前支柱と後ラセンを備えた後支柱とを有し、支持棒軸受けを取り付けた装着部と、パイプ固着輪と伝達ラセンと主棒支持輪を有する伝達支柱のパイプ固着輪にパイプの一端に取り付け、伝達オモリをパイプの他端に取り付けた伝達部で構成し、伝達部のパイプに装着部の支持棒を挿入し、主棒軸受けと支持棒軸受けとを軸で結合したもので、パイプに挿入した支持棒とは間隙を有し、主棒に通した主棒支持輪にも間隙を有し、釣り糸に取り付けた玉が前ラセンは通り抜けることができ、伝達ラセンは通り抜けることができないもので、主棒の後部を主棒支持輪で支えて、それぞれのラセンを釣り糸に装着して海に投入し、伝達オモリにより海水の抵抗で伝達部が後退することなく海中を滑降し、滑降時の勢いで釣り糸に取り付けた玉を前ラセンが通り抜け、伝達ラセンは後方に押すことで伝達部が後方に移動し、主棒の後部を支えていた主棒支持輪が外れて、軸を支点に主棒オモリ側が下がり、イカ掛け針側が振り上がることを特徴とする、イカ掛け針が振り上がるイカ掛け用ヤエン。
【発明の詳細な説明】
【技術分野】
【０００１】
本発明は、イカ掛け用ヤエンによるイカ釣りにおいて、イカ掛け針を振上げる方法として、釣り糸に取り付けた玉で伝達ラセンが後方へ押されることにより支持棒に挿入した伝達部を後方に移動させ、主棒の後部を支えていた主棒支持輪が外れて、軸を支点に主棒オモリ側が下がり、イカ掛け針側が振り上がりイカが確実に掛かる、イカ掛け針が振り上がるイカ掛け用ヤエンに関する。
【背景技術】
【０００２】
近年、釣りファンの注目を集めているのが、イカ掛け用ヤエンによるイカ釣りで、確実にイカを掛ける方法が望まれている。これまでにいろんな形態のイカ掛け用ヤエンが提案されているその中の１つに、イカ掛け針側を振り上げてイカを掛けるものがある。その方法は、餌魚を釣り糸に結んだ針に刺して海中に沈め、餌魚にイカが食い付くと、イカ掛け用ヤエンを釣り糸に装着して投入し海中を滑降させて、餌魚に食い付いたイカに到達した衝撃で、イカ掛け針側を振り上げる方法が提案されている（例えば、特許文献１参照）。
【０００３】
この改善策として、イカ掛け用ヤエンのイカ掛け針側を振り上げる方法として、餌魚に食い付いたイカに到達したときに衝撃を与えることなく振り上げる。
【特許文献１】特開２００３−１２０号公報
【発明の開示】
【発明が解決しようとする課題】
【０００４】
本発明は、上記従来技術の改善策を解決するために、イカ掛け針を振り上げるイカ掛け用ヤエンを提供することを課題とする。
【課題を解決するための手段】
【０００５】
本発明のイカ掛け針が振り上がるイカ掛け用ヤエンは、上記課題を達成するために、釣り糸に取り付けた玉を前ラセンが通り抜け、伝達ラセンが後方に押されることで伝達部が後方に移動し、イカ掛け部の後部を支えていた主棒支持輪が外れて、軸を支点に主棒オモリ側が下がり、イカ掛け針側が振り上がるようにする。
【発明の効果】
【０００６】
本発明によれば、イカに衝撃を与えることなくイカ掛け針側を振上げるので、確実にイカが掛かる。
【発明を実施するための最良の形態】
【０００７】
本発明は、イカ掛け用ヤエンによるイカ釣りにおいて、餌魚に食い付いたイカに衝撃を与えることなくイカ掛け針側が振り上がるようにしたもので、それを図面について説明すれば、図１は本考案の形態を表したもので、主棒１０にイカ掛け針１１と主棒軸受け１３と主棒オモリ１２を取り付けたイカ掛け部と、支持棒２０に前ラセン２２を備えた前支柱２１と、後ラセン２４を備えた後支柱２３とを有し、支持棒軸受け２５を取り付けた装着部と、パイプ固着輪４５と伝達ラセン４３と主棒支持輪４４とを有する伝達支柱４２のパイプ固着輪４５にパイプ４０の一端に取り付け、伝達オモリ４１をパイプ４０の他端に取り付けた伝達部で構成し、パイプ４０に支持棒２０を挿入し、主棒軸受け１３と支持棒軸受け２５とを軸３０で結合したもので、パイプ４０と支持棒２０とは間隙を有し、主棒１０を主棒支持輪４４に挿入したときにも間隙を有し、釣り糸９０に取り付けた玉９１が前ラセン２２は通り抜けることができ、伝達ラセン４３は通り抜けることができない、イカ掛け針が振り上がるイカ掛け用ヤエン。図２はイカ掛け針側が振り上がった一実施を示すもので、餌魚９３を釣り糸７０に結んだ針９２に刺して海中に沈めイカ９４が食い付くと、釣り糸９０に前ラセン２２、伝達ラセン４３、後ラセン２４を装着し、主棒１０の後部を主棒支持輪４４で支えて海に投入し、伝達オモリ４１により海水の抵抗で伝達部が後退することなく海中を滑降し、滑降時の勢いで釣り糸９０に取り付けた玉９１を前ラセン２２が通り抜け、通り抜けることができない伝達ラセン４３は後方に押されることにより伝達部が後方に移動し、主棒１０の後部を支えていた主棒支持輪４４が外れ、軸３０を支点として主棒オモリ１２側が下がり、イカ掛け針１１側が振り上がることでイカ９４が確実に掛かるようにした、イカ掛け針が振り上がるイカ掛け用ヤエン。
【図面の簡単な説明】
【０００８】
【図１】イカ掛け用ヤエンの形態を示す側面図である。
【図２】イカ掛け針側が振り上がった一実施を示す側面図である。
【符号の説明】
【０００９】
１０    主棒
１１    イカ掛け針
１２    主棒オモリ
１３    主棒軸受け
２０    支持棒
２１    前支柱
２２    前ラセン
２３    後支柱
２４    後ラセン
２５    支持棒軸受け
３０    軸
４０    パイプ
４１    伝達オモリ
４２    伝達支柱
４３    伝達ラセン
４４    主棒支持輪
４５    パイプ固着輪
９０    釣り糸
９１    玉
９２    針
９３    餌魚
９４    イカ
【図１】
2005261429.tif 000003
【図２】
2005261429.tif 000004
(57)【要約】      （修正有）【課題】犬の糞を地面に落ちる前に市販のビニール袋を使用し受けとめる器具である。装着が極簡便で、ビニール袋が器具を覆うため、犬の糞で器具が汚れる事もなく、ビニール袋を取り外す折りも汚れた面を内側に仕舞いこむように取り外す事により手を汚すことなく、ローコストにて犬の糞を処理できる用具を提供する。【解決手段】柄付きの固定リング１と柄の元部を支点に上下に動く可動リング２からなり、市販のビニール袋を使用し、上の固定リングを覆うように下の可動リングの内側に入れこむ。可動リングでビニール袋を挟み込むように固定リングの先端についている２個のストッパーに止める。ビニール袋を両リングの中央から下に下げて使用し、ビニール袋を下方に引き下げ取り外すと外に出ていた面が袋の内側に仕舞い込まれるように外れる。【選択図】図１
2005261403.tif 000002
【特許請求の範囲】
柄付きの固定リングと柄の元部を支点に上下に動く可動リングにより、簡単に市販のビニール袋の取り付けが出来、使用後も可動リングをストッパーから外せば簡単に手を汚すことなく汚物の入ったビニール袋を取り外す事が出来る。
【発明の詳細な説明】
【発明の詳細な説明】
【技術分野】
【０００１】この発明は犬の散歩時における糞を市販のビニール袋を利用し、地面に落ちる前に受け、手を汚すことなく簡便に回収する為の用具。
【背景技術】
【０００２】従来の用具は複雑な構造で処理袋の取り付けが煩雑であったり、糞を受ける部分が汚れたまま処理しなければならなかったり、又指定の紙パックを必要とするなど、実用性には難があった。
【発明が解決しようとする課題】
【０００３】犬の糞が地面を汚す前に受けとめる糞取り器は専用の袋を要し、袋の装着に何工程もの動作が必要で、その処理も煩雑であった。
本発明はこれらの問題を解決し、ローコストで簡便に犬の糞を受けとめまた、処理できるものである。
【課題を解決する為の手段】
【０００４】汚物回収のビニール袋を支える柄付きの固定リングと柄の元部を支点に上下に動く可動リングと固定リング先端にある２個のストッパーから構成される。回収袋は市販のビニール袋を利用し、上部より固定リングに被せ、可動リングの内側に入れこみ、ビニール袋を挟み込むようにストッパーに止め、ビニール袋は両リングの中央から下げる。使用後は稼動リングをストッパーから外し、そのままビニール袋を下方に引き下げると表面に出ていた部分は内側に仕舞い込まれる。
【発明実施の形態】
【０００５】以下、本発明の実施の形態を説明する。
（イ）柄のついた固定リングの先端に可動リングのストッパー２個を設ける。
（ロ）柄の元部を支点に上下に動く可動リングを設ける
本発明は以上の構成からなる。
ビニール袋を固定リングに被せながら可動リングの内側に入れこみ、ビニール袋を挟み込ムように可動リングを固定リングについているストッパーにて止めビニール袋を装着する。その後、ビニール袋を両リングの中央から下ゲル。
固定リングはビニール袋に覆われている。
【発明の効果】
【０００６】（イ）犬の糞を地面に落下する前に受けることにより環境を汚さない。
（ロ）市販のビニール袋が利用できる。
（ハ）袋の取り付けが極簡単にできる。
（ニ）回収の為の取り外しも片手で出来、極簡単である。
（ホ）用具も袋で覆われるので糞により汚れる事は無い。
（ヘ）糞が落ちるとき、袋を汚しても袋の内側になり、手は汚れない。
【図面の簡単な説明】
【図１】汚物回収袋を固定リングに被せながら可動リングの内側に入れる。
【図２】可動リングをストッパーに止め、袋を押し下げた。
【図３】ストッパーを外し、袋を回収する。
【図１】
2005261403.tif 000003
【図２】
2005261403.tif 000004
【図３】
2005261403.tif 000005
(57)【要約】【目的】  本発明は、植物のお茶の葉や茶樹、茶樹根に含まれるカテキンを低コストで取り出しこれをマンノースを主成分とする多糖類に混ぜ合わせることで両方の特性効果が期待できる。また食品分野だけでなく工業利用にも効果が期待できる。お茶の新しい需要にも繋がる事が期待できるカテキン入り多糖類の製造方法。【解決手段】  お茶の葉や茶樹、茶樹根にから取り出した高濃度のカテキン溶液をマンノースを主成分とする多糖類を溶解させる前の溶液に混入させ攪拌した後成形容器に流し込み適度の大きさにした後弱火で加熱しする。【特許請求の範囲】
【請求項１】
お茶の葉から取り出したカテキンを含む溶液とマンノースを主成分とする多糖類を混合攪拌し、これに適度なアルカリを加えて凝固成形させたカテキン入り多糖類の製造法。
【請求項２】
熱帯植物のゾウゲヤシの実。海藻類の緑藻、紅藻。コンニャクの球茎。酵母の細胞壁。高等植物の細胞壁。甲殻類の皮などから採取できる多糖類にカテキンを加えたカテキン入り多糖類の製造方法。
【発明の詳細な説明】
【発明の詳細な説明】
【産業上の利用分野】
【０００１】        この発明は、植物のお茶の葉や茶樹が有するカテキンなどを人為的に取りだしさまざまな多糖類との組み合わせによる食品原料及び工業原料に関するものである。
【背景技術】
【０００２】        従来、マンノースを主成分とする多糖類は食品原料、工業用品原料として使われていたがお茶の成分のカテキン類を組み合わせた活用方法は未だ無い。
【発明が解決しようとする課題】
【０００３】        従来技術以外に、カテキンを組合わせることで、遊離還元効果や体脂肪抑制効果など、低コストで安全性は高い。食品関連、工業関連等へ新たな製品への応用が期待できる。又お茶の新たな需要の拡大も可能となる。
【課題を解決する為の手段】
【０００４】        お茶の葉から取り出したカテキン４種を含む溶液とマンノースを主成分とする多糖類を混合攪拌し、これに適度なアルカリを加えて凝固成形させる方法。
マンノースを主成分とする多糖類にお茶の葉から取り出した高濃度カテキンを含む溶液を混合攪拌し乾燥させ粉体とする方法。
マンノースを主成分とする多糖類粉末にカテキン粉末を混ぜ同時に粉砕しながら混合攪拌する方法。
【作用】
【０００５】  マンノースを主成分とする多糖類にはさまざまな成分形態がある為、カテキンを加えた作用には以下に上げる作用が起こり複数の場合と一つしかない場合がある。
１．抗菌効果
マンノースα−１，６。セルロース類。
２．特有の臭いの改善
Ｎ−アセチルグルコサミン類。アルギン酸類。
３．腐敗抑制
マンノースα−１，６。セルロース類。デンプン類。
４．酸化抑制
α−１，６。乳酸エーテル類。ペクチン。グルコーゲン類。
５．体脂肪抑制
但しグルコースとマンノースがβ−１，４で結合した物を食品に加工したものを魚類、哺乳動物が食した場合。
以上のようにカテキンをマンノースを主成分とする多糖類に加えた
作用が確認できる。
【実施例】
【０００６】  以下、本案の実施例について説明する。
第一工程  こんにゃくの球茎を輪切りにして乾燥させる。
第二工程  第一工程で乾燥させたものを粉砕して微紛末にする。
第三工程  ２０リットル容器に微温湯９リットル入れる。この時カテキン水溶液（カテキン総量２．２ｍｇ／ｍｌ  ）１リットルを加えよく攪拌する。
第四工程  第三工程の微温湯を３００ｍｌとりゆっくりかき混ぜながらこの中に第二工程の微粉末を３００ｇ入れる。
第五工程  表面に粘性現象が現れはじめたことを確認後かき混ぜをやめて約９０分程度放置する。
第六工程  ２０リットルのお湯（約６０℃〜８０℃）に水酸化カルシウム２０ｇを溶き、第五工程を終えた粘性溶液に入れ、手早く丁寧に艶がでるまでかき混ぜ、艶がでてきたらやめ、適当な容器や型などに移し込み３０分程度放置する。
第七工程  容器や型などから取り出し弱火で３０分程度煮て完成。
【発明の効果】
【０００７】  マンノースを主成分とする多糖類食品の代表である食用コンニャクは９７％までが水分で２％ほどの糖質も難消化性で栄養的には無価値であるが歯ざわりが喜ばれており民俗では胃腸のほうきとも呼ばれている。カテキンの効果をそのままマンノースを主成分とする多糖類と共存させる事ができる為、カテキンの効果である体脂肪抑制効果をはじめ哺乳動物に対してもさまざまな健康増進効果が期待できる。また本件の多糖類を活用することは食品原料だけでなく工業原料としても付加価値が上がり用途も広がると期待する。又工業原料としての添着剤としての効果の向上や用途拡大も期待できる。
また、すでに頭打ちになりつつあるお茶の需要量は国内生産農家には深刻な問題になりつつある。本発明は新たな需要を生みだす効果も期待できる。。
(57)【要約】【課題】動物を確実に繋ぎとめ、動物の運動を妨げない動物用繋ぎ用具を提供する【解決手段】一端に頭部ストッパーを有し他端に尖頭部を有する支軸に、自由回転する回転筒を設け、回転筒に動物を繋ぐ為の留め具を設けたことを特徴とする動物用繋ぎ用具。【選択図】図１
2005261405.tif 000002
【特許請求の範囲】
【請求項１】
一端に頭部ストッパーを有し、他端に地面差込用の尖頭部を有する支軸に、自由回転する回転筒を設け、回転筒に動物を繋ぐ為の留め具を設けたことを特徴とする動物用繋ぎ用具。
【請求項２】
中空コンクリートブロックとコンクリートを設けてなる請求項１の動物用繋ぎ用具。
【発明の詳細な説明】
【技術分野】
【０００１】  本発明は、繋ぎ紐や鎖が絡まることなく、動物を確実に繋ぐための用具に関するものである。
【背景技術】
【０００２】  従来、動物を繋ぐために一般的な杭を使っていた。
【発明の開示】
【発明が解決しようとする課題】
【０００３】  そのために、次のような問題点があった。
（イ）動物の運動により、繋ぎ紐や鎖が杭に絡みつき動物の運動範囲が狭くなり、さらには動けなくなることがある。
（ロ）繋ぎ紐や鎖を取り付ける専用の部分が無いため、動物が逃げることがある
（ハ）地中に十分深く差し込むことが困難な場合、杭が抜けて動物が逃げることがある。
本発明は、これらの問題点を解決するためになされたものである。
【課題を解決するための手段】
【０００４】  支軸部に自由回転する回転筒を設け、この円筒に動物を繋ぐための留め具を設ける。支軸部頭部には、上部抜け止め用の頭部を設け、支軸下部は鋭い尖頭部を設けたことを特徴とする動物用繋ぎ用具である。
【発明の効果】
【０００５】動物の運動を妨げることなく、動物を確実に繋ぎとめることが可能となる。
【発明を実施するための最良の形態】
【０００６】  以下、本発明の実施の形態について説明する。
（イ）本発明は鋼製、ステンレスなどのような頑丈な素材よりなる。
（ロ）支軸（１）は下端が地面に差し込む尖頭部（２）となっており、他端が支軸よりも径の大きく、さらに回転筒（４）の内径より大きな半球体状の頭部ストッパー（３）となっている。
（ハ）この支軸に下から回転筒（４）を通す。この回転筒は内径が支軸の取り付け位置の外径より大きくなっており、支軸に自由に回転するようになっている。
（二）回転筒（４）側面には、動物の繋ぎ紐や鎖の先端を固定するための留め具（５）としてリングが設けられている。このリングに関しては図においては円環を利用しているが、動物の繋ぎ紐や鎖の先端が抜けたり、外れたりしない範囲でその形状は問わない。
（ホ）さらに支軸に下から下部固定座（６）を差込み、回転筒（４）の自由回転運動を妨げない位置に取り付ける。
本発明は以上のような構成で、これを使用するときは、強度の有る地面を選択し地中深く差し込み、留め具（５）に動物の繋ぎ紐や鎖の先端を繋ぎ使用する。
回転筒（４）の自由回転により、動物の運動を妨げることなく、半球体状の頭部ストッパー（３）の頭部を打撃することにより支軸の打ち込みが容易となり、鋭い尖頭部を有する事により、地中深く差し込むことが可能となり、動物の運動による杭の引き抜き防止に効果が有る。
さらに半球体状の頭部ストッパー（３）は、動物の怪我を防止し、繋ぎ紐や鎖の杭への絡み付きを防止する
なおこの半球体状の頭部ストッパー（３）は、完全な半球体であることを必要とせず、多面体の角と辺を面取りすることでも良い。
【発明を実施するための他の形態】
【０００７】  以下、本発明の不良土質部や大型動物用としての実施の形態について説明する。
（イ）中空コンクリートブロック（８）を、上面が地面より出るよう地中に埋め込み埋め戻しした周囲の土は十分に突き固める。
（ロ）支軸（１）〜下部固定座（６）を組み立てた本発明の動物用繋ぎ用具本体に、根がらみ鉄筋（７）を取り付ける。
この根がらみ鉄筋の寸法や数量は特に指定しないが、望ましくは上下２段に十文字に取り付け、寸法は中空コンクリートブロックの内寸法と同寸法とすると良い、このことにより本発明品を中空コンクリートブロック内に設置する際に中央部で垂直に設置することが容易となる
（ハ）動物用繋ぎ用具本体に、根がらみ鉄筋（７）を取り付けた状態で、中空コンクリートブロック内に設置する。
設置する高さは、回転筒（４）の自由回転が妨げないよう中空コンクリートブロックの上面より上部の位置とする。
設置する位置は、本装置が中央部で垂直になるように位置決めする。
（二）中空コンクリートブロック（８）内にコンクリート（９）を流し込む。
この際、中空コンクリートブロックの内側に十分に打ち水し、コンクリートを均等に生成するためコンクリートを突き締める。
コンクリート上面は、雨水などが溜まらないように中央部が盛り上がるように仕上げる。
本発明の他の実施形態は以上のような構成で、これを使用するときは留め具（５）に動物の繋ぎ紐や鎖の先端を繋ぎ使用する。
本発明品をコンクリートと中空コンクリートブロックを用いて一体化することによりさらに十分な強度を持つこととなり、不良土壌部や大型動物用として利用可能になる。
なお、この場合支軸の尖頭部（２）は無しとしても良い。
【図面の簡単な説明】
【０００８】
【図１】本発明の正面図
【図２】本発明の分解斜視図
【図３】本発明の実施例
【図４】本発明の他の実施例
【図５】本発明の他の実施例の分解斜視図
【符号の説明】
【０００９】  １  支軸
２  尖頭部
３  頭部ストッパー
４  回転筒
５  留め具
６  下部固定座
７  根がらみ鉄筋
８  中空コンクリートブロック
９  コンクリート
【図１】
2005261405.tif 000003
【図２】
2005261405.tif 000004
【図３】
2005261405.tif 000005
【図４】
2005261405.tif 000006
【図５】
2005261405.tif 000007
(57)【要約】【課題】  犬・猫・鳥類・虫類等が嫌悪する忌避剤を容器に収納し、放散作用で撃退するマルチ収納容器を提供する。【解決手段】  収納容器の壁面に壁面有効孔を設け、またその収納容器の床面にも床面有効孔を設け、この床面有効孔に隣接する所に片開き扉を装着し、さらに床面周辺に小穴を設けて排水処理を配置、並びに前記収納容器底部の脚部に着脱できる固定穴からなることを特徴とするマルチ収納容器。【選択図】  図１
2005261410.tif 000002
【特許請求の範囲】
【請求項１】
収納容器の壁面に壁面有効孔を設け、またその収納容器の床面にも床面有効孔を設け、この床面有効孔に隣接する所に片開き扉を装着し、さらに床面周辺に排水処理の小穴を配置、並びに前記収納容器底部の脚部に着脱できる固定穴からなることを特徴とするマルチ収納容器である。
【発明の詳細な説明】
【技術分野】
【０００１】  本発明は、犬・猫・鳥類・虫類等が嫌悪する忌避剤を容器に収納し、放散作用で撃退するマルチ収納容器に関するものである。
【背景技術】
【０００２】  従来は、犬・猫・鳥類・虫類等を撃退するために、侵入する場所に忌避剤を散布、または噴霧装置類で噴霧していた。また忌避剤を収容する収容部と蓋体からなる収容室の構成壁より、気散成分を通過出来る通気部としたものが開発されている（特許文献１）。
【特許文献１】  特許開平８−１８７０４９号公報
【発明の開示】
【発明が解決しようとする課題】
【０００３】  しかしながら、次のような問題点があった。
（イ）忌避剤の散布または噴霧装置類での噴霧の場合、一時的に忌避効果が期待できるが、自然蒸発・雨・散水等で臭気が弱まり劣化する。
（ロ）さらに風等が強い場合に、忌避剤が飛び散り効果が薄れる。それに外気温等が低いとその効能が持続できない。
（ハ）次に、収容部と蓋体からなる収容室の構成壁に設けた、通気部より風雨等による侵入水で忌避剤の効果が失われる。従ってこの排水処理措置が望まれる。
（ニ）また、地面からの地熱作用と地上の外気温等による寒暖の差から発生する結露水等の余剰水処理も不十分である。
本発明は、これらの問題点を解決するためになされたものである。
【課題を解決するための手段】
【０００４】  収納容器の壁面に壁面有効孔を設け、さらにその収納容器の床面にも床面有効孔を設ける。この床面の床面有効孔に隣接する所に片開き扉を装着する。さらに床面周辺に排水処理の小穴を配置、並びに前記収納容器底部の脚部に着脱できる固定穴からなる。以上を特徴とするマルチ収納容器である。
【発明の効果】
【０００５】  本発明は、忌避剤を収納容器に収納したことで、一定期間忌避効果を失わず、犬・猫・鳥類・虫類等の臭覚を麻痺させる。また忌避剤に限らず複数の芳香剤等の収納容器にも利用できる。さらに片開き扉は床面有効孔としても兼用できる利便性を備えている。
【発明を実施するための最良の形態】
【０００６】  以下、本発明の実施の形態について説明する。
（イ）忌避剤（１）を収納する収納容器（２）と一体化とした壁面に、結露水・風雨等の水分を防ぐ目的と、通気口を兼ねるルーバー形状の壁面有効孔（３）と、床面にも同様の目的でルーバー形状の床面有効（４）を設ける。
（ロ）そして床面有効孔（４）の周辺に多少の水分を排水処理する小穴（７）を設けた。また床面有効孔（４）に隣接する位置にルーバー形状の片開き扉（５）を設ける。
本発明は以上のような構成である。これを使用するときは、収納容器（２）に片開き扉（５）を開閉して忌避剤（１）を挿入し、複数の設置場所に着脱できる構造としたので、固定穴（６）・吊下げ具（ａ）等を利用してネジ・紐類・両面テープ等で固定できる。
【実施例】
【０００７】  家庭内の農地に杭等を用いて案山子の代用・建物内外の壁面等・コンクリート等の地面に据え置き・垣根・フェンス・木柵・樹木類等にマルチ収納容器を取り付けて、犬・猫・鳥類・虫類等を撃退する。
材質としては、収納容器（２）を反射板として利用できるアルミ・ステンレス等、または樹脂系にプリズム・光シール類を貼り付ける。
従って、忌避剤と反射光の両面で侵入等の被害を防止する。
【図面の簡単な説明】
【０００８】
【図１】  本発明の斜視図
【図２】  本発明の断面図
【図３】  本発明の側面図
【図４】  本発明の床面平面図
【符号の説明】
【０００９】      １    忌避剤
２    収納容器
３    壁面有効孔
４    床面有効孔
５    片開き扉
６    固定穴
７    小穴
ａ    吊下げ具
【図１】
2005261410.tif 000003
【図２】
2005261410.tif 000004
【図３】
2005261410.tif 000005
【図４】
2005261410.tif 000006
(57)【要約】【課題】内容物体を保護するバッグを提供すること。【解決手段】高反発弾性素材の層２２と低反発弾性素材の層２１の少なくとも２層を有する多層生地２で形成され、内容物体を保護するバッグ。【選択図】        図１
2005152134.tif 000002
【特許請求の範囲】
【請求項１】
高反発弾性素材の層と低反発弾性素材の層の少なくとも２層を有する多層生地で形成され、内容物体を保護する、バッグ。
【請求項２】
請求項１に記載のバッグにおいて、
高反発弾性素材の層を外側に配し、低反発弾性素材の層を内側に配することを特徴とする、バッグ。
【請求項３】
請求項１に記載のバッグにおいて、
高反発弾性素材の層の厚さは２ｍｍ〜１０ｍｍとし、低反発弾性素材の層の厚さは４ｍｍ〜２０ｍｍとすることを特徴とする、バッグ。
【発明の詳細な説明】
【技術分野】
【０００１】
本発明は、電子機器、精密機器などの内容物体を保護するバッグに関するものである。
【背景技術】
【０００２】
従来、パソコンなどの電子機器をバッグに入れて持ち運ぶ際、電子機器の荷重でバッグの生地がつぶされ、その個所で生地の反発弾性力を失う。そのため、その時点で外力が作用すると、電子機器に衝撃力が働き、電子機器を破損する恐れがある。
【発明の開示】
【発明が解決しようとする課題】
【０００３】
本発明は、内容物体を保護するバッグを提供することにある。
【課題を解決するための手段】
【０００４】
＜イ＞本発明は、高反発弾性素材の層と低反発弾性素材の層の少なくとも２層を有する多層生地で形成され、内容物体を保護するバッグにある。
＜ロ＞また、本発明は、上記バッグにおいて、高反発弾性素材の層を外側に配し、低反発弾性素材の層を内側に配するバッグにある。
＜ハ＞また、本発明は、上記バッグにおいて、高反発弾性素材の層の厚さは２ｍｍ〜１０ｍｍとし、低反発弾性素材の層の厚さは４ｍｍ〜２０ｍｍとするバッグにある。
【発明を実施するための最良の形態】
【０００５】
以下、図面を用いて本発明の実施の形態を説明する。
【０００６】
＜イ＞バッグ
バッグは、電子機器、精密機器などの内容物体を収納し、内容物体にかかる衝撃などの力から保護するもので、高反発弾性素材の層と低反発弾性素材の層の少なくとも２層を有する多層生地で構成される。バッグは、ケース、かばん、容器、袋物など、内容物体を収納し、内容物体にかかる衝撃などから保護できるものであればよい。
【０００７】
＜ロ＞多層生地
多層生地は、高反発弾性素材の層と低反発弾性素材の層の少なくとも２層を有する多層の生地である。多層生地２は、例えば図１に示すように、バッグ１の本体１１に使用される。低反発弾性素材の層２１と高反発弾性素材の層２２とは、相互にずれないように、接着、縫製などで一体化されているとよい。多層生地２は、デザインや保護のために必要に応じて、図１（Ｂ）に示すように、内生地（インナークロス）２３及び／又はナイロンクロスなどの外生地（表面クロス）２４で覆う。また、多層生地２は、図示していないが、他の素材の層を加えて、３層以上（内外の表面生地を除いて）にしてもよい。
【０００８】
低反発弾性素材の層２１と高反発弾性素材の層２２は、バッグの内側又は外側のどちらに配しても良いが、好ましくは、高反発弾性素材の層２２を外側に配し、低反発弾性素材の層２１を内側に配するとよい。低反発弾性素材の層２１をバッグ１の内側に配すると、例えば内容物体の荷重などの力で内容物体の凸部がバッグの生地を外側に押し出す際、低反発弾性素材の層２１が潰れ、内容物体の凸部が低反発弾性素材の層２１に食い込み、低反発弾性素材が凸部全体を覆い、内容物体にかかる力を分散する。それと共に、高反発弾性素材の層２２は、弾性力が大きいので、内容物体の凸部が外側に押し出す力を阻止することができる。また、高反発弾性素材の層２２は、バッグ１の外からの外力が内容物体に作用する力を阻止することができる。このように、多層生地２をバッグ１に使用することにより、内容物体を保護することができる。
【０００９】
それに対して、従来の主に低反発弾性素材の生地からなるバッグの場合、高反発弾性素材の層がないので、内容物体の荷重で低反発弾性素材の層が潰れきってしまい、バッグの生地の弾性力がなくなり、外力が作用すると、内容物体を破損する恐れがある。また、内容物体の凸部がバッグの生地を外側に押し出して突出し、外力が作用すると、内容物体を破損する恐れがある。このように、主に低反発弾性素材の生地からなるバッグの場合、内容物体の荷重によって低反発弾性素材の層がつぶれきってしまい、保護能力が著しく低下するが、本発明のように、多層生地２を使用すると、外側に高反発弾性素材の層２２があるので、低反発弾性素材の層２１がつぶれきった場合でも高反発弾性素材の層２２により保護力を高めることができる。
【００１０】
＜ハ＞低反発弾性素材の層
低反発弾性素材は、反発力の弱い素材であり、ＪＩＳ  Ｋ  ６４００に基づいて算出された反発弾性率が４０％以下のものを使用できる。好ましくは、反発弾性率が３０％以下のものがよい。低反発弾性素材は、ウレタンフォームなどで作られたもの、発泡剤、整泡剤、触媒などを混合し、樹脂化させながら発泡させたもので、気泡が連通し、柔らかくて復元性がある。低反発弾性素材は、内容物体の荷重などの外力で凹み、内容物体の凸部など一部の周囲を覆って保護するものである。反発力が強すぎると、内容物体に強い力が作用する恐れがある。低反発弾性素材の層２１の厚さは、２ｍｍ以上、特に４ｍｍ以上、２０ｍｍ以下が好ましい。あまり薄いと、内容物体にかかる力を十分に吸収することができなくなり、また、厚すぎるとバッグとして利便性に欠けるようになる。
【００１１】
＜ニ＞高反発弾性素材の層
高反発弾性素材は、低反発弾性素材と比較して、ＪＩＳ  Ｋ  ６４００に基づいて算出された反発弾性率が５％以上、好ましくは１０％以上高いものを使用する。例えば、低反発弾性素材の反発弾性率が２０％の場合、高反発弾性素材の反発弾性率は、３０％以上のものを使用する。また、低反発弾性素材の反発弾性率が３０％の場合、高反発弾性素材の反発弾性率は、４０％以上のものを使用する。低反発弾性素材と高反発弾性素材の反発弾性率は、バックに入れられる内容物体の荷重や精密機器の種類などによって選択することができる。高反発弾性素材は、クロロプレンや軟質ゴム、発泡ウレタン、ゲル板、柔らかいビニール、シリコンなどの素材を使用できる。高反発弾性素材の層２２の厚さは、１ｍｍ以上、特に２ｍｍ以上、１０ｍｍ以下が好ましく、あまり薄いと、内容物体の一部にかかる力を十分に吸収することができなくなり、また、厚すぎるとバッグとして利便性に欠けるようになる。
【図面の簡単な説明】
【００１２】
【図１】本発明のバッグの説明図
【符号の説明】
【００１３】
１・・・バッグ
１１・・本体
２・・・多層生地
２１・・低反発弾性素材の層
２２・・高反発弾性素材の層
２３・・内生地
２４・・外生地
３・・・ファスナー
【図１】
2005152134.tif 000003
(57)【要約】【課題】人間が直接入れないタンクの内部を洗浄し、施工前、施工後の確認を目視可能にする。【解決手段】細い管接続口からも、タンク内面に、角度自由に調節出来る。細管を挿入し、管内全面に出来るだけ直角に高圧水、高圧エアーが当たることにより洗浄可能、又、底部に溜まった物質を、撹拌状態で搬出、場合によっては吸引する。【選択図】図１
2005152782.tif 000002
【特許請求の範囲】
【請求項１】
既設タンク(銅板製、ステンレス製他)各種タンクにおいて、内面(上部、側面、低部)の水垢、錆、スケール、付着物を、高圧水、高圧エアー又は、その混合等の方法で、全面に、霧状に噴射し底部に溜まった堆積物を、自然排水時に、吸引により除去する。(場合によっては、薬品の混合噴射も含む)
【発明の詳細な説明】
【技術分野】
【０００１】
本発明は、既設タンク内面の洗浄することにより、タンク本来の機能を充分発揮させることに関する。
【背景技術】
【０００２】
現行では、点検口がついているタンクに関しては、手作業洗浄がもっぱら常識で、点検    口なしの、タンク容器内面の洗浄は、不可能に近く、単に、ドレンからの水の入れ替えが行われている。
【０００３】
一方、本発明は、タンクに附属する配管接続口より、細い圧力管を挿入し、高圧水、高圧エアー又は、その混合水を、内面に全面噴射する事によって、それらを、最低面部に沈め、錆、泥等を撹判状態のまま排水除去する
【０００４】
施工上、缶内の水等を排水し、空状にする。その状態でファイバースコープを管接続口より挿入し、缶体の材質腐食度等を調査する。
【０００５】
ウォータージェット水(0〜80Kg／ｍ２)コンプレッサー(0〜50Kg／ｍ２)を分配ヘッダーに高圧ホースにより接続し、タンク内管接続口より図1に示す様に、細管及び噴出ノズルを挿入し、ハンドルレバーの操作により、水をタンク内面に均等に噴射する。その際ある程度柔軟性のある、銅管等を用い角度調整を行える様にする。缶体の種類、厚み、強度等を考慮し、噴射圧力を設定する。タンク用途に応じ、水、エアーに加え薬品を混入する場合もある。最後に洗浄完成具合を、再びファイバースコープにより、効果を確認する。
【発明の開示】
【発明が解決しようとする課題】
【０００６】
解決しようとする問題点は、人間が入って清掃できないタンク内面を洗浄するという障害がある。
【課題を解決するための手段】
【０００７】
本発明は、タンクに附属する細い管接続口より、内面状況を把握し、内面の洗浄を可能にする施工方法である。
【発明の効果】
【０００８】
タンク内面が、洗浄されることによって、より清潔度、水質の汚濁がなくなり、日常使用の不快感を無くする利点がある。
【発明を実施するための最良の形態】
【０００９】
出来るだけ、タンク内の材質が強固であれば、施工がより、効果を発揮できる。
【００１０】
屋外、室内と設置状況に変化があり、ウォータージェット、コンプレッサー他機器をセットし、既設タンクまで高圧ホース延長が1本、排水ホースは、屋外で回収出来る方が、工事施工能率アップにつながる。
【産業上の利用可能性】
【００１１】
既設タンクの廻りスペースが狭い場所等でも、大掛かりな設備がいらず簡単に施工でき、又、施工時間が短い為、利用可能度は広く、又、大きい。
【図面の簡単な説明】
【００１２】
【図１】タンク内の洗浄実施方法を示した説明図である。
【図２】タンク洗浄前後の確認作業を示した説明図である。
【符号の説明】
【００１３】
１  ウォータージェット
２  コンプレツサー
３  ミキシングジェット
４  操作レバー
５  吸引機
６  ファイバースコープ
【図１】
2005152782.tif 000003
【図２】
2005152782.tif 000004
(57)【要約】【課題】  半田ごてと半田供給を片手で処理することにより、作業の効率化を図る半田付け装置を提供する。【解決手段】  半田ごてに、動力を伝えるダイヤル、動力を前記ダイヤルからローラに伝えるベルト、および前記ベルトの向きを変えるための支点とを備えるとともに、半田を挟むために前記ダイヤルの反対側に車輪、それを支える弾性体、および前記車輪と前記弾性体を格納するケースとを設け、前記半田ごての先端部に、前記半田ごてを握った手で半田を供給する。【選択図】      図１
2005152941.tif 000002
【特許請求の範囲】
【請求項１】
半田ごてに、動力を伝えるダイヤル、動力を前記ダイヤルからローラに伝えるベルト、および前記ベルトの向きを変えるための支点を備えるとともに、半田を挟むために前記ダイヤルの反対側に車輪、それを支える弾性体、および前記車輪と前記弾性体を格納するケースを設け、前記半田ごての先端部に、前記半田ごてを握った手で半田を供給することを特徴とする半田付け装置。
【発明の詳細な説明】
【技術分野】
【０００１】
本発明は、半田ごてを片手で握って半田付けを行う半田付け装置に関するものである。
【背景技術】
【０００２】
従来、半田付け作業をする際には、半田ごてを片手に持ち、もう片方の手に半田を持って半田を供給する作業を行っていた（例えば特許文献１）。
【特許文献１】特開平８−２１５８３７号公報
【発明の開示】
【発明が解決しようとする課題】
【０００３】
しかしながら、このような従来技術においては、２つの物体の半田づけを行う際には、片方もしくは両方の物体を何らかの方法で固定しておく必要があったが両手がふさがっているために非常に作業がやりにくいという欠点があった。
本発明は、このような問題を解決するためになされたもので、半田ごてと半田供給を片手で処理することにより、作業の効率化を図る半田付け装置を提供することを目的とするものである。
【課題を解決するための手段】
【０００４】
上記問題を解決するため、本発明の半田付け装置は、半田ごてに、動力を伝えるダイヤル、動力を前記ダイヤルからローラに伝えるベルト、および前記ベルトの向きを変えるための支点とを備えるとともに、半田を挟むために前記ダイヤルの反対側に車輪、それを支える弾性体、および前記車輪と前記弾性体を格納するケースとを設け、前記半田ごての先端部に、前記半田ごてを握った手で半田を供給するようにしたものである。
【発明の効果】
【０００５】
本発明によれば、半田ごてと半田供給を片手で処理することが可能となり、もう片方の手が自由に使えるようになる。したがって、作業の効率、自由度を飛躍的に向上させることができる効果がある。
【発明を実施するための最良の形態】
【０００６】
以下、本発明の実施例を、図１に基づいて説明する。
【実施例】
【０００７】
図１は本発明の実施例における半田付け装置を示す図で、（ａ）は装置全体を示す側断面図、（ｂ）は車輪とバネを格納するケースを示す斜視図である。
図１において、１は半田ごて、２は補助装置を格納するためのケース、３は中心にギアを保持するダイヤル、４は中心にギアを保持する車軸、５はベルト、６はベルトの支点、７は車輪、８はバネ、９は車輪７と、弾性体（例えばバネ）８を格納するケース、１０は半田である。
前記ケース９は、中が３つに分割されていて、両サイドの２つにバネ８を格納し、中央に車輪７を格納する。車輪７の中心に軸を通し、弾性体８で押さえることによって半田の太さに適した送りを実現することができる。
この半田ごてを用いる場合には、握った手の指の先でダイヤル３を回転させることによって、ベルト５に動力が伝わり、ダイヤル４が回転する。車軸４と車輪７の間に挟まれている半田との摩擦によりケース２より半田が押し出され、半田ごてに付着することになる。この際、車軸４と車輪７の間で半田のよじれが解消されるという利点もある。
【図面の簡単な説明】
【０００８】
【図１】本発明の実施例における半田付け装置を示す図で、（ａ）は装置全体を示す側断面図、（ｂ）は車輪とバネを格納するケースを示す斜視図である。
【符号の説明】
【０００９】
１    半田ごて
２    補助装置を格納するケース
３    中心にギアを保持するダイヤル
４    中心にギアを保持する車軸
５    ベルト
６    支点
７    車輪
８    バネ
９    車輪とバネを格納するケース
１０  半田
【図１】
2005152941.tif 000003
(57)【要約】【課題】  ロングブーツ又はショートブーツを置く伸縮自在スタンドに関するものである。【解決手段】  ブーツ置台に支柱を設けて、その先端に複数の止め具を設けてブーツを吊し、必要時に支柱を伸縮できるようにした伸縮自在ブーツスタンド。【選択図】  図１
2005152572.tif 000002
【特許請求の範囲】
【請求項１】
ブーツ置台に支柱を設けて、その先端に複数の止め具を設けてブーツを吊し、必要時に支柱を伸縮できるようにした伸縮自在ブーツスタンド。
【発明の詳細な説明】
【技術分野】
【０００１】  本発明は、ロングブーツ又はショートブーツを置く、伸縮自在ブーツスタンドに関する。
【背景技術】
【０００２】  従来、脱いだブーツは玄関に置いたり、靴箱に入れたりしている。
【発明の開示】
【発明が解決しようとする課題】
【０００３】  そのために次のような問題があった。
（イ）  ブーツの上部が倒れて、しわになったり見苦しかった。
（ロ）  皮の張りや型崩れを防止するため、新聞紙を丸めて詰め込んだりしたが、倒れた部分を起そうとして、それらを詰めるのが面倒だった。
本発明は、以上の問題点を解決するためになされたものである。
【課題を解決するための手段】
【０００４】  ブーツ置台に支柱を設けて、その先端に複数の止め具を設けて、ブーツを吊し、必要時に支柱を伸縮できるようにしたブーツスタンドに関するものである。
【発明の効果】
【０００５】  本発明は、ブーツを吊した状態で保持できるので、しわや型崩れしない。
また、流行のニットのくしゃくしゃブーツには、新聞やキーパーなどは筒が非常に柔らかいため入れにくいが、玄関において正立した状態なので見栄えもよい。
また、本発明は伸縮自在なので保管も便利だし、携帯することも可能である。
【発明を実施するための最良の形態】
【０００６】  以下、本発明の実施の形態について説明する。
（イ）  金属性の材料を用いて、ブーツ（Ａ）の底に合致するブーツ置台（１）を設ける。
（ロ）  ブーツ置台（１）の一端に支柱（２）を設ける。この支柱（２）は小支柱（３）と大支柱（２′）に分れて、小支柱（３）が大支柱（２′）に挿入され、上下に移動可能に設けている。
（ハ）  小支柱（３）と大支柱（２′）の側部には複数の穴（４）をそれぞれ設け、ネジ（８）によって伸縮自在になるように固着される。
（ニ）  小支柱（３）の先端には、フック（７）とＴ字棒（７′）を設け、複数のクリップ（５）の内側にスポンジ（６）を設けている。
本発明は以上の構成からなるもので、以下使用法について説明する。【０００７】  図に示すようにＴ字棒（７′）のクリップ（５）でブーツ（Ａ）を吊り、長短ブーツの長さに合せて小支柱（３）を調節してブーツを直立させる。ブーツの踵部は、磁石材（９）でヒールの太さに応じて取り替えられる形状にヒールを保護するフェルト等（１０）に複数の切り込み部（１１）を設けたかかと置台（Ｂ）を設けて、ブーツ置台（１）に設置する。
したがって、ヒール（１２）に傷が付かない。
なお、図１０に示すように、かかと置台（Ｂ）を馬蹄形状にしてもよい。
【図面の簡単な説明】
【０００８】
【図１】  本発明の使用説明図
【図２】  本発明の斜視図
【図３】  本発明の支柱を縮めた状態の斜視図
【図４】  本発明の部分説明図
【図５】  本発明のクリップの説明図
【図６】  本発明の部分説明図
【図７】  本発明のかかと置台の斜視図
【図８】  本発明のかかと置台の側面図
【図９】  本発明のかかと置台の他の実施例の使用説明図
【図１０】  本発明のかかと置台の他の実施例の斜視図
【符号の説明】
【００１１】  Ａ  ブーツ
Ｂ  かかと置台
１  置台
２  支柱
２′大支柱
３  小支柱
４  穴
５  クリップ
６  スポンジ
７  フック
７′Ｔ字棒
８  ネジ
９  磁石材
１０  フェルト
１１  切り込み
１２  ヒール
【図１】
2005152572.tif 000003
【図２】
2005152572.tif 000004
【図３】
2005152572.tif 000005
【図４】
2005152572.tif 000006
【図５】
2005152572.tif 000007
【図６】
2005152572.tif 000008
【図７】
2005152572.tif 000009
【図８】
2005152572.tif 000010
【図９】
2005152572.tif 000011
【図１０】
2005152572.tif 000012
【手続補正書】
【提出日】平成16年4月8日(2004.4.8)
【手続補正１】
【補正対象書類名】特許請求の範囲
【補正対象項目名】全文
【補正方法】変更
【補正の内容】
【特許請求の範囲】
【請求項１】
ブーツの置台に伸縮自在の支柱を設け、その先端に複数の止め具を設け、さらに置台にはブーツのヒール部分を保護又は安定保持させるためにヒールの形状やサイズに対応できる部材を装着自在に設けたブーツスタンド。
(57)【要約】【課題】従来の水のみの消火では、燃焼物に対する消火水の滞留時間が短く、高熱のため飛散が発生、又、風、空気の抵抗を受け、水の飛散が発生、放水途中で落下する水が多かったので、大量の水を必要とした。【解決手段】パルプ、綿繊維のからみつき、保水力、そして水の表面張力を利用することにより、少量水で消火できる。【特許請求の範囲】
【請求項１】
消火に無駄な水をなくすため、消火水にパルプ、綿繊維を混入させることを特徴とする。
【請求項２】
繊維のからみつき度、水の表面張力作用を利用し、繊維の保水力を高めるためにパルプ、綿繊維の長さを１．５ｃｍ〜０．１ｍｍ、太さ０．１ｍｍ〜０．０１ｍｍにこうかいした繊維を水に混合し、この混合水によって火災消火することを特徴とする。
【発明の詳細な説明】
【技術分野】
【０００１】この発明は火災消火用に用いる水に関する。
【背景技術】
【０００２】従来の火災消火は化学消火を除いて水のみである。
【発明の開示】
【発明が解決しようとする課題】
【０００３】しかしながら、水のみの火災消火では
第１点、高熱燃焼物に対して放水をしても高熱のため、水が飛散して有効に消火能力を発揮できない
第２点、火災家屋の壁等に防水された水が薄い皮膜をつくるのみで、地上に落下して無駄な水が多い。
第３点、放水された水が風及び空気抵抗を受け空中で飛散が発生、目的物まで有効に到達できず無駄な水が多い。このため、近くに寄って防水するため危険である。
従って、大量の水と多くの消防車、多くの人員を必要とする。そこで、この発明は少量の水で効率よく火災消火することを提供し課題とする。
【課題を解決するための手段】
【０００４】以上の課題を解決するために第一の発明はパルプ、綿繊維のからみつきと保水力の特性と水の表面張力作用を利用し、水にパルプ、綿繊維を混合させ、これを火災消火に利用することを特徴とする。
【発明の効果】
【０００５】混合水を高熱燃焼物体に放水した時、燃焼物体に繊維のからみつきが発生それに加え繊維どうしのからみつきにより、飛散現象が少なくなり落下水がそれに伴い減少する。
家屋の壁、天井、床に対して繊維のからみつきが発生、落下する放水の水が減少、又、天井、床には繊維の目詰まりが発生落下水が減少する。
風、空気の抵抗による飛散が減少し、目的物に有効に放水できる。
【発明を実施するための最良の形態】
【０００６】この発明の実施形態は、パルプ、綿繊維を長さ１．５ｃｍ〜０．１ｍｍ太さ０．１ｍｍ〜０．０１ｍｍにこうかいしこれを水と混合させ、この混合水で火災消火をする。
パルプ、綿繊維の１ｋｇあたりの発熱量は約４．０００ｋカロリー、水の蒸発カロリーは１ｌあたり約５００ｋカロリーとなるため、混合水の濃度は１％〜０．５％が効率よく消火できる。
【実施形態の効果】
【０００７】この実施形態によれば、燃焼物体の凸凹にからみつきやすい様に適応した長さ、太さ、柔らかさがある水を含んだ繊維がからみつきます。
燃焼物体に放水された混合水は、凸凹にからみつきを発生させながら流れ落ちます。
そして、凸凹にからみついた繊維に後から来た混合水の繊維がからみつきを発生させます。
繊維どうしのからみつきのため、多くの水分が燃焼物体に付着する。
物体を伝わって流れ落ちる混合水はからみついた繊維による抵抗が増加するため、流れ落ちる水の速度が遅くなり、消火作用が増加する。
高熱燃焼物にからみつきが発生するため、水の飛散が減少し、消火作用が増加する。
風の抵抗による水の飛散が減少し、有効に可燃焼物体に混合水が放水、到達距離が増加する。
(57)【要約】      （修正有）【課題】プリザーブドフラワー等の水を必要としない軽い花のアレンジは、触っただけでアレンジメントが傷ついたり、倒れてしまうことがあった。プリザーブドフラワー等の水を必要としない軽い花のアレンジの花の設置置面と固定可能な器を提供する。【解決手段】プリザーブドフラワー等の水を必要としない軽い花のアレンジの花器１に吸盤２を付着させることによって、転倒を防止することが可能となった。【選択図】図３
2005152540.tif 000002
【特許請求の範囲】
【請求項１】
プリザーブドフラワー、ドライフラワー、造花など、水を必要としない保存がきく花のアレンジメントにおける花器（参照１）底面に吸盤を付着させ、設置面と固定可能にする為の発明である。
参照１
ベルベット等布でできている箱やガラスの器、木の箱等様々な素材・形のもの。
【発明の詳細な説明】
【技術分野】
【０００１】    本発明はプリザーブドフラワー等の水を必要としない花の設置置面と固定可能な器（様々な素材、形）に関するものである。
【背景技術】
【０００２】    プリザーブドフラワー等の水を必要としない大変軽いアレンジメントにおいて、従来の花器では触ったりするだけで倒れてしまうこともあり、アレンジメントが傷ついてしまうことが多々発生した。しかしながら花器を固定できる方法は現状両面テープ等を花器底面に貼り付けるしかない。
【発明の開示】
【発明が解決しようとする課題】
【０００３】    プリザーブドフラワー等の水を必要としない花のアレンジメントを設置面と固定させる為には、花器底面にテープ等で留めるが、その後設置場所を替えたりする場合に器はもちろん、テーブル等の設置場所を汚したり、傷つけてしまう。
【課題を解決するための手段】
【０００４】    本発明はプリザーブドフラワー等の水を必要としないアレンジの花器に吸盤を付着させるか、もしくは花器に穴をあけてはめ込むことによって上記課題を解決したものである。
【発明の効果】
【０００５】    本発明により、狭いテーブルは勿論、机上や壁等限られたスペースを有効活用し、転倒の心配なく、花等も傷つくことなく、場所を問わず飾ることが可能となった。
【発明を実施する為の最良の形態】
【０００６】    プリザーブドフラワー等の水を必要としない花のアレンジメントに使用する為の花器（ベルベット等布でできている箱やガラスの器、木の箱等様々な素材・形のもの。）を用意する。花器底面に付着させるかもしくは穴をあけてはめ込ませる。
【実施例】
【０００７】    本発明は図３に示されるとおりで、設置面と固定が可能になるよう、吸盤を器に取り付けた。
【産業上の利用可能性】
【０００８】    本発明はフラワー業界、インテリア業界、飲食業界の各種産業で利用可能である。
【図面の簡単な説明】
【０００９】
【図１】本発明に使用する花器を示した図である。
【図２】本発明に使用する吸盤を示した断面図である。
【図３】本発明の底面図である。
【符号の説明】
【００１０】      １  花器
２  吸盤
【図１】
2005152540.tif 000003
【図２】
2005152540.tif 000004
【図３】
2005152540.tif 000005
(57)【要約】【課題】  一度の加熱調理で複数の鍋の中のものを加熱できる鍋である。【解決手段】  鍋（２）の中にエコ内鍋（１）を取り付けるだけで一度に２つ又は複数の加熱を行うことができるものである。【選択図】  図１
2005152563.tif 000002
【特許請求の範囲】
【請求項１】
鍋（２）の内側に装着するエコ内鍋（１）である。
【発明の詳細な説明】
【発明の詳細な説明】
【技術分野】
【０００１】この発明は一度の加熱調理で複数の鍋の中のものを加熱できるものである。
【背景技術】
【０００２】ひとつずつの鍋で個別に加熱していた。
【発明が解決するための手段】
【０００３】ひとつの鍋を加熱しているときも、その内部の鍋に十分に加熱することができるのでそれを無駄なく利用し、エネルギー・光熱費を節約する。
【発明を実施するための最良の形態】
【０００４】以下、本発明の実施例について説明します。
鍋（２）の内部にエコ内鍋（１）を装着し蓋（３）をして加熱調理する。
エコ内鍋（１）を各種大きさのものを数種類準備し、複数同時に装着する事もできる。鍋（２）にエコ内鍋（１）の取っ手が当たる部分にへこみを付け蓋（３）がぴたりとできる専用鍋を作成・販売しても良い。普通の鍋に取り付けることもできるし、エコ内鍋だけでも火にかけて使用できる。
【発明の効果】
【０００５】一度に複数の鍋を加熱することで、エネルギーを節約し、加熱調理も短時間でできる。
【図面の簡単な説明】
【図１】本発明の斜視図である。
【図２】本発明の使用状態を示す斜透過図である
【符号の説明】
１．エコ内鍋        ２．鍋        ３．蓋
【図１】
2005152563.tif 000003
【図２】
2005152563.tif 000004